(57)【要約】【課題】電気掃除機を用いて行なうふとん圧縮袋やゴミ袋等からの空気抜き作業を、電気掃除機の故障を招くことなく連続的に行なうことを可能ならしめる、脱気用アダプターを提供することを課題とする。【解決手段】電気掃除機のホース先端に脱着可能であって両端が開放された筒体２を設け、前記筒体２の前記ホース接続部側部分の側面に開口３を形成し、前記筒体２の内側面に前記開口３を内側から覆う負圧弁４を配置し、前記負圧弁４は、常時前記筒体２内に配備されたスプリング５に付勢されて前記開口３を閉じるよう作用すると共に、前記筒体２内が所定圧以下に減圧されることによって内方に移動して前記開口３を開くように作用する。【選択図】図２
0003125722.tif 000002
【実用新案登録請求の範囲】
【請求項１】
電気掃除機のホース先端に脱着可能であって両端が開放された筒体を設け、前記筒体の前記ホース接続部側部分の側面に開口を形成し、前記筒体の内側面に前記開口を内側から覆う負圧弁を配置し、前記負圧弁は、常時前記筒体内に配備されたスプリングに付勢されて前記開口を閉じるよう作用すると共に、前記筒体内が所定圧以下に減圧されることによって内方に移動して前記開口を開くように作用することを特徴とする脱気用アダプター。
【請求項２】
前記開口及び前記負圧弁は、対称的に一対配置される請求項１に記載の脱気用アダプター。
【請求項３】
前記負圧弁は、前記筒体を横に貫く軸に支持され、前記スプリングは前記軸に纒装される請求項１又は２に記載の脱気用アダプター。
【請求項４】
前記筒体は、一部に可撓部を有する請求項１乃至３のいずれかに記載の脱気用アダプター。
【考案の詳細な説明】
【技術分野】
【０００１】
本考案は脱気用アダプター、より詳細には、ふとん圧縮袋のように、一般家庭用の電気掃除機を用いて袋内の空気を吸出す操作を行なうに当たり、掃除機のホース先端に取り付けられて先端が袋内に挿入される脱気用アダプターに関するものである。
【背景技術】
【０００２】
収納時における嵩を減らすため、ふとんや衣類を密閉可能な圧縮袋内に入れた後、圧縮袋を密閉して袋内の空気を抜くことが行なわれている。この脱気作業は、掃除機のホースの先端を挿入することにより行なわれる。
【０００３】
しかるに、掃除機を用いてこの作業を連続的に行なうと、ホース内の負圧が高まって、掃除機のモータが加熱して故障するおそれがある。そのため、各社のふとん圧縮袋のパッケージには、例えば、２袋以上連続圧縮する場合には、各作業間に１０分以上の間を置くようにといった注意書きが記されている。
【０００４】
【特許文献１】実開昭６３−１２９５５６号公報
【特許文献２】実開平３−１７７５７号公報
【特許文献３】実開平７−８３９号公報
【考案の開示】
【考案が解決しようとする課題】
【０００５】
上述したように、従来、電気掃除機を用いてふとん圧縮袋等からの空気抜き作業を行う場合は、掃除機のモータ加熱等による故障回避のため、連続的に作業を行なう場合、作業間に十分な間を置かなければならない煩わしさがあった。
【０００６】
そこで、本考案はそのような煩わしさのない、即ち、電気掃除機を用いて行なうふとん圧縮袋やゴミ袋等からの空気抜き作業を、電気掃除機の故障を招くことなく連続的に行なうことを可能ならしめる、脱気用アダプターを提供することを課題とする。
【課題を解決するための手段】
【０００７】
上記課題を解決するための請求項１に記載の脱気用アダプターは、電気掃除機のホース先端に脱着可能であって両端が開放された筒体を設け、前記筒体の前記ホース接続部側部分の側面に開口を形成し、前記筒体の内側面に前記開口を内側から覆う負圧弁を配置し、前記負圧弁は、常時前記筒体内に配備されたスプリングに付勢されて前記開口を閉じるよう作用すると共に、前記筒体内が所定圧以下に減圧されることによって内方に移動して前記開口を開くように作用することを特徴とする。
【０００８】
好ましくは、前記開口及び前記負圧弁は、対称的に一対配置され、前記負圧弁は、前記筒体を横に貫く軸に支持され、前記スプリングは前記軸に纒装され、また、前記筒体は、一部に可撓部を有するものとされる。
【考案の効果】
【０００９】
本考案は上記のとおりの構成であって、筒体内の負圧が過大になると、負圧弁が、スプリングによる付勢力に抗して内方に移動することによって開口を開いて外気を導入する。そのため、電気掃除機のモータに過大な負荷がかかるおそれがなく、モータの加熱に起因する電気掃除機の故障の発生を回避することができる。
【００１０】
即ち、本考案に係る脱気用アダプターによれば、電気掃除機を用いて行なうふとん圧縮袋やゴミ袋等からの空気抜き作業を、電気掃除機の故障を招くことなく連続的に行なうことが可能となる効果がある。
【考案を実施するための最良の形態】
【００１１】
本考案を実施するための最良の形態について、図面に依拠して説明する。図１は、本考案に係る脱気用アダプター１の構成を示す斜視図、図２はその縦断面図、図３はその分解斜視図である。
【００１２】
脱気用アダプター１は、両端が開放されていて電気掃除機のホース先端に脱着可能な筒体２を設け、筒体２のホース接続部側部分の側面に開口３を形成し、筒体２の内側面に内側から開口３を覆う負圧弁４を配置して構成される。
【００１３】
負圧弁４は、常時、筒体２内に配備されたスプリング５に付勢されて開口３を閉じるよう作用し、また、筒体２内が所定圧以下に減圧されることによって内方に移動して開口３を開くように作用する。開口３及び負圧弁４はそれぞれ１つであってもよいが、好ましくは、図示した例のように、対称的に一対配設される。
【００１４】
負圧弁４は、その一端部が筒体２を横に貫く軸６に支持され、軸６に纒装されたスプリング５によって外向きに付勢される。軸６は、開口３の近傍（筒体２の先端部寄り）に設置される。例えば、軸６はネジ杆で構成し、筒体２の外側から横方向に差し込み、筒体２内において、スプリング５及びその両側に配置されるワッシャー８に挿通させた後、先端部を反対側に露出させてナット７で止める。
【００１５】
筒体２の負圧弁４設置側の端部は、掃除機２０のホース２１の端部に接続するための接続端部１０とされるが、通例、その接続を容易にするために、当該接続端部１０はテーパ形状にされる。接続端部１０は、好ましくは可撓部（蛇腹部）１１を介して設けられる。なお、接続端部１０は、直接ホース２１の先端に接続することとしてもよいし、別の接続用アダプター２２を介して接続することとしてもよい。
【００１６】
また、接続端部１０と反対側の筒体側面には、必要に応じ、吸気口１２が１又は複数形成される。
【００１７】
上記構成の脱気用アダプター１は、例えば、ふとん圧縮袋２３の脱気をするために、掃除機２０のホース２１の先端に、直接又は接続用アダプター２２を介して取り付けて用いられる。その場合、ふとん圧縮袋２３内にふとん２４を収納した後、ふとん圧縮袋２３自体が備えるファスナー２５等の密閉手段を介して一旦密閉する。そして、ファスナー２５を一部開き、そこに脱気用アダプター１の先端部を差し込む。可撓部１１を設けたときは、その部分が自由に撓むため、差込み及びその後の操作がやりやすくなる。
【００１８】
その状態で、掃除機２０のスイッチを入れると、ふとん圧縮袋２３内の空気及びふとん２４に内包されていた空気が徐々に吸い出され、やがてふとん２４及びふとん圧縮袋２３が平坦に潰れていく。
【００１９】
その際、ふとん圧縮袋２３内の残気が少なくなるにつれ、筒体２内の負圧が高まり、筒体２の内外の圧力差が大きくなっていく。その差があるレベルを越えると、負圧弁４はスプリング５による押圧力に抗してこれを押し縮めて、軸６に支持されつつ内方に移動又は回動する。かくして開口３が開いて外気が筒体２内に導入されるため、筒体２内は過度の負圧状態となることはなく、その結果、モータに過度の負荷がかかってモータが故障するという事態の発生が回避される。
【００２０】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２１】
【図１】本考案の一実施形態の斜視図である。
【図２】本考案の一実施形態の縦断面図である。
【図３】本考案の一実施形態の分解斜視図である。
【図４】本考案の一実施形態の使用状態図である。
【図５】本考案の一実施形態の使用状態図（要部）である。
【符号の説明】
【００２２】
１    脱気用アダプター
２    筒体
３    開口
４    負圧弁
５    スプリング
６    軸
７    ナット
８    ワッシャー
１０    接続端部
１１      可撓部
１２    吸気口
２０    掃除機
２１    ホース
２２    接続用アダプター
２３    ふとん圧縮袋
２４    ふとん
２５    ファスナー
【図１】
0003125722.tif 000003
【図２】
0003125722.tif 000004
【図３】
0003125722.tif 000005
【図４】
0003125722.tif 000006
【図５】
0003125722.tif 000007